(57)【要約】【課題】    加湿部で発生した加湿空気がヒーターの熱風を直接受けて消滅することがないヘアードラーヤーを提供する。【解決手段】吸入口１１と吐出口１２とを有するハウジング１内の前記吸入口１１から吐出口１２に至る流路を空気流路２とし、空気流路２内の上流側半部に前記吸入口１１より空気を空気流路２に導入して下流側へ送風するための送風手段３を設け、空気流路２の送風手段３よりも下流側の部分に空気流路２を二手に分岐してなる冷風用空気流路２ａと温風用空気流路２ｂとを設け、温風用空気流路２ｂ内に該温風用空気流路２ｂを流れる空気を加熱する加熱部４を設けると共に、冷風用空気流路２ａ内に該冷風用空気流路２ａを流れる空気を加湿する加湿部５を設けて成ることを特徴とするものである。【選択図】図１
2008264387.tif 000002
【特許請求の範囲】
【請求項１】
吸入口と吐出口とを有するハウジング内の前記吸入口から吐出口に至る流路を空気流路とし、空気流路内の上流側半部に前記吸入口より空気を空気流路に導入して下流側へ送風するための送風手段を設け、空気流路の送風手段よりも下流側の部分に空気流路を二手に分岐してなる冷風用空気流路と温風用空気流路とを設け、温風用空気流路内に該温風用空気流路を流れる空気を加熱する加熱部を設けると共に、冷風用空気流路内に該冷風用空気流路を流れる空気を加湿する加湿部を設けて成ることを特徴とするヘアードライヤー。
【請求項２】
加湿部を冷風用空気流路内の下流側端部に設けて成ることを特徴とする請求項１記載のヘアードライヤー。
【請求項３】
加湿部に水分を供給する水供給手段を設けて成ることを特徴とする請求項１又は２記載のヘアードライヤー。
【請求項４】
水供給手段として水タンクを着脱自在に設けて成ることを特徴とする請求項３記載のヘアードライヤー。
【請求項５】
水供給手段としてペルチエユニットを設けて成ることを特徴とする請求項３記載のヘアードライヤー。
【請求項６】
ハウジングの吐出口にノズルを着脱自在に取り付けて成ることを特徴とする請求項１乃至５のいずれか一項に記載のヘアードライヤー。
【請求項７】
加湿部をノズルの内面に設けて成ることを特徴とする請求項６記載のヘアードライヤー。
【請求項８】
ノズルに水供給手段を設けて成ることを特徴とする請求項７記載のヘアードライヤー。
【請求項９】
ノズルと水供給手段とハウジングとを一体に形成して成ることを特徴とする請求項３乃至８のいずれか一項に記載のヘアードライヤー。
【請求項１０】
マイナスイオン発生手段を設けて成ることを特徴とする請求項１乃至９のいずれか一項に記載のヘアードライヤー。
【請求項１１】
マイナスイオン発生手段をペルチエユニット内に設けて成ることを特徴とする請求項１０記載のヘアードライヤー。
【発明の詳細な説明】
【技術分野】
【０００１】
本発明は液体を霧化させて得られる加湿空気を備えたヘアードライヤーに関するものである。
【背景技術】
【０００２】
従来から、液体を霧化させて得られる加湿空気を吐出するヘアードライヤーが知られている（例えば特許文献１参照）。これは、ハウジング内に形成される流路中に、送風手段と、ヒーターと、加湿部とを備えたもので、送風手段によりハウジング内に空気を取り入れて、ヒーターで加熱すると共に加湿部にて加湿空気として使用者の毛髪へと供給するものである。
【特許文献１】実開昭６２−１９９００３号公報
【発明の開示】
【発明が解決しようとする課題】
【０００３】
しかしながら、このような従来のヘアードライヤーにおいては、加湿部で発生した加湿空気がヒーターの熱風を受けてしまい、加湿空気のミストが使用者の毛髪へ到達する前に消滅してしまい、加湿空気が使用者の毛髪へ到達しないものであった。
【０００４】
本発明は上記従来の問題点に鑑みて発明したものであって、その目的とするところは、  加湿部で発生した加湿空気がヒーターの熱風を直接受けて消滅することがないヘアードラーヤーを提供することを課題とするものである。
【課題を解決するための手段】
【０００５】
上記課題を解決するために本発明の請求項１に係るヘアードライヤーは、吸入口１１と吐出口１２とを有するハウジング１内の前記吸入口１１から吐出口１２に至る流路を空気流路２とし、空気流路２内の上流側半部に前記吸入口１１より空気を空気流路２に導入して下流側へ送風するための送風手段３を設け、空気流路２の送風手段３よりも下流側の部分に空気流路２を二手に分岐してなる冷風用空気流路２ａと温風用空気流路２ｂとを設け、温風用空気流路２ｂ内に該温風用空気流路２ｂを流れる空気を加熱する加熱部４を設けると共に、冷風用空気流路２ａ内に該冷風用空気流路２ａを流れる空気を加湿する加湿部５を設けて成ることを特徴とするものである。
【０００６】
このような構成とすることで、加湿部５で発生した加湿空気（霧化した液体を含む空気）がヒーター４２の熱風を直接受けることがなくなるため、消滅することがなくなって使用者の毛髪へ加湿空気が到達可能となる。
【０００７】
また、請求項２に係る発明は、請求項１に係る発明において、加湿部５を冷風用空気流路２ａ内の下流側端部に設けて成ることを特徴とするものである。
【０００８】
このような構成とすることで、温風用空気流路２ｂを流れる温風の熱が下流側より加湿部５へと若干伝達されて、加湿部５の蒸発効率（霧化効率）を向上させて、使用者の毛髪への加湿空気の供給量を増大させることができる。
【０００９】
また、請求項３に係る発明は、請求項１又は２に係る発明において、加湿部５に水分を供給する水供給手段７を設けて成ることを特徴とするものである。
【００１０】
このような構成とすることで、加湿部５に水分を供給して加湿部５の乾燥を防止することができ、常に安定して加湿空気を使用者の毛髪へ供給することが可能となる。
【００１１】
また、請求項４に係る発明は、請求項３に係る発明において、水供給手段７として水タンク７１を着脱自在に設けて成ることを特徴とするものである。
【００１２】
このような構成とすることで、水タンク７１への水を供給が容易となって、加湿部５の乾燥を容易に防止することができる。
【００１３】
また、請求項５に係る発明は、請求項３に係る発明において、水供給手段７としてペルチエユニット７３を設けて成ることを特徴とするものである。
【００１４】
このような構成とすることで、使用者が水タンク７１に水を補給する必要手間が省けて、使い勝手が向上するものである。
【００１５】
また、請求項６に係る発明は、請求項１乃至５のいずれか一項に係る発明において、ハウジング１の吐出口１２にノズル６を着脱自在に取り付けて成ることを特徴とするものである。
【００１６】
このような構成とすることで、ノズル６の吐出口１２より吐出される風速を向上させて使用者の毛髪へ到達する加湿空気の量を増大させることができる。
【００１７】
また、請求項７に係る発明は、請求項６に係る発明において、加湿部５をノズル６の内面に設けて成ることを特徴とするものである。
【００１８】
このような構成とすることで、加湿部５から使用者の毛髪までの距離を短くすることができて、加湿空気の使用者の毛髪への到達量を増大させることができる。
【００１９】
また、請求項８に係る発明は、請求項７に係る発明において、ノズル６に水供給手段７を設けて成ることを特徴とするものである。
【００２０】
このような構成とすることで、ノズル６の内面に設けた加湿部５に近い部分に水タンク７１を設けて水タンク７１から加湿部５への水の搬送を容易にし、加湿部５の乾燥を容易に防止することができる。
【００２１】
また、請求項９に係る発明は、請求項１乃至８のいずれか一項に係る発明において、ノズル６と水供給手段７とハウジング１とを一体に形成して成ることを特徴とするものである。
【００２２】
このような構成とすることで、ノズル６の着脱部や水タンク７１の着脱部といった構成がないため、構造が簡素化できて、外観に一体感を与えることができる。
【００２３】
また、請求項１０に係る発明は、請求項１乃至９のいずれか一項に係る発明において、マイナスイオン発生手段８を設けて成ることを特徴とするものである。
【００２４】
このような構成とすることで、プラスに帯電した毛髪に引き寄せられて、より加湿空気を使用者の毛髪へ到達させることができる。
【００２５】
また、請求項１１に係る発明は、請求項１０に係る発明において、マイナスイオン発生手段８をペルチエユニット７３内に設けて成ることを特徴とするものである。
【００２６】
このような構成とすることで、ペルチエユニット７３による結露水がマイナスに帯電することとなり、加湿空気をマイナスに帯電させて、整髪により又は乾燥によりプラスに帯電した毛髪に引き寄せられて、より加湿空気を使用者の毛髪へ到達させることが可能となり、プラスに帯電した毛髪の電気力を打ち消すことができる。
【発明の効果】
【００２７】
本発明においては、空気流路の送風手段よりも下流側の部分に冷風用空気流路と温風用空気流路とを設け、温風用空気流路内に加熱部を設けると共に、冷風用空気流路内に加湿部を設けたことで、加湿部で発生した加湿空気はヒーターの熱風を直接受けることがなくなるため、消滅することがなくなって使用者の毛髪へ到達して、整髪時に過度の乾燥に伴う毛髪の傷みを防止することができる。
【発明を実施するための最良の形態】
【００２８】
以下、本発明を添付図面に示す実施形態に基づいて説明する。
【００２９】
本実施形態におけるヘアードライヤーは、図１乃至図３に示すように、機器が収納されるハウジング１にて本体部が形成される。
【００３０】
ハウジング１は、内部に空気流路２が形成される略筒状側面を有するもので、下流側の側端部には空気を吐出する吐出口１２が形成されると共に、上流側の上壁部には空気を吸入する吸入口１１が形成してある。
【００３１】
空気流路２は、ハウジング１内部の吸入口１１より吐出口１２に至る流路であり、空気流路２内の上流側半部（好ましくは上流側端部近傍）にはファン３１及び該ファン３１を駆動するモーター３２からなる送風手段３が設けてある。ファン３１は、ファン３１の上流側に形成してある上記吸入口１１より空気を吸入して空気流路２内に導入し、空気流路２の下流側に空気を搬送するものである。
【００３２】
空気流路２の送風手段３よりも下流側の部分には、空気流路２を二手に分岐してなる冷風用空気流路２ａと温風用空気流路２ｂとが形成してある。これは、ハウジング１の内部に内筒体１３を配置して、内部を二重構造としてハウジング１内の空気流路２を内側の外側の流路に仕切り、内側を温風用空気流路２ｂとすると共に外側を冷風用空気流路２ａとするものである。
【００３３】
本実施形態では、略筒状側面を有するハウジング１下流側の端部すなわち吐出口１２側の端部にノズル接続部１４が形成してあると共に、このノズル接続部１４に下流側程小径となるように絞った筒状のノズル６が着脱自在に設けてある。
【００３４】
温風用空気流路２ｂ内には、この温風用空気流路２ｂを流れる空気を加熱するための加熱部４が設けてある。加熱部４は、絶縁板４１と絶縁板４１の外側に巻線されたヒーター４２とで構成されている。
【００３５】
冷風用空気流路２ａ内には、この冷風用空気流路２ａを流れる空気を加湿する加湿部５が設けてある。加湿部５は、本実施形態では冷風用空気流路２ａの下流端において、冷風用空気流路２ａと温風用空気流路２ｂとを仕切る内筒体１３の外側に取り付けられる環状をした保持枠５１に加湿材５２を取り付けて構成される。また、加湿部５へ水を供給するため、水供給手段７が設けてある。水供給手段７は、本実施形態ではハウジング１の外側に水タンク７１を設けると共に、水タンク７１から加湿材５２へと至る連通路が形成してあり、連通路には水タンク７１から加湿材５２へ水を搬送して供給するための搬送部材としてのフェルト７２を設けて構成してある。水タンク７１は、ハウジング１の外側に設けられた水タンク接続部１５に着脱自在に接続される。これにより、加湿部５に水分を供給して加湿部５の乾燥を防止することができ、常に安定して加湿空気を使用者の毛髪へ供給することが可能となるものであり、水タンク７１を着脱自在に設けることで容易に水タンク７１に水を供給することが可能となる。また、水タンク７１を透明又は半透明の材料で形成することで、水タンク７１内の残量が目視で容易に確認することができる。
【００３６】
また、吐出口１２の近傍のハウジング１の外側にはマイナスイオンを発生させるマイナスイオン発生手段８としての放電部８１が設けてあると共に、ハウジング１の内部には放電部８１の放電制御を行う電子制御回路８２が設けてある。
【００３７】
また、ハウジング１の下側には、使用者が把持する把持部１６が下方に向けて突設してあると共に、把持部１６には送風手段３のモーター３２、加熱部４のヒーター４２、電子制御回路８２への通電と駆動のＯＮ／ＯＦＦを切り替えるスライドスイッチ１７が設けてある。
【００３８】
このヘアードライヤーの動作について説明する。使用者がハウジング１の下部に設けられた把持部１６を把持してスライドスイッチ１７をＯＮにすると、送風手段３のモーター３２が駆動されてファン３１が回転する。ファン３１が回転すると吸入口１１より空気が吸入されて、吸入された空気が送風手段３の下流側の冷風用空気流路２ａと温風用空気流路２ｂとに流れ、加熱部４のヒーター４２が駆動されて加熱が行われる。
【００３９】
温風用空気流路２ｂを流れる空気は、加熱部４により加熱された後、ハウジング１の吐出口１２、ノズル６及びその吐出口６２を通過して使用者の毛髪へと送風される。
【００４０】
冷風用空気流路２ａを流れる空気は、加湿部５の加湿材５２を通過する際に加湿されて加湿空気となり、加熱部４の熱影響を受けることなくハウジング１の吐出口１２、ノズル６を通過して使用者の毛髪へと送風される。本実施形態では、加湿部５を冷風用空気流路２ａの下流側端部に設けているため、温風用空気流路２ｂを流れる温風の熱が下流側より加湿部５へと若干伝達されて、加湿部５の蒸発効率（霧化効率）を向上させて、使用者の毛髪への加湿空気の供給量を増大させることができる。
【００４１】
また、マイナスイオン発生手段８の放電部８１にてマイナスイオンが発生して放出され、ノズル６から吐出された加湿空気に合流して使用者の毛髪へとマイナスイオンが搬送される。これにより、整髪により又は乾燥によりプラスに帯電した毛髪に引き寄せられて、より加湿空気を使用者の毛髪へ到達させることが可能となり、プラスに帯電した毛髪の電気力を打ち消すことができる。
【００４２】
なお、水タンク７１には、水でなくても常温で液体となるものであれば、例えば整髪機能や調髪機能を有する液体であってもよいものである。
【００４３】
本発明におけるように、空気流路２の送風手段３よりも下流側の部分に冷風用空気流路２ａと温風用空気流路２ｂとを設け、温風用空気流路２ｂ内に加熱部４を設けると共に、冷風用空気流路２ａ内に加湿部５を設けたことで、加湿部５で発生した加湿空気はヒーター４２の熱風を直接受けることがなくなるため、消滅することがなくなって使用者の毛髪へ到達して、整髪時に過度の乾燥に伴う毛髪の傷みを防止することができる。
【００４４】
また、上記のようなノズル６を設けたことで、ノズル６の吐出口６２より吐出される風速を向上させて使用者の毛髪へ到達する加湿空気の量を増大させることができる。
【００４５】
次に、図４に基づいて他の実施形態について説明する。なお、この図４に示す実施形態においても大部分は図１乃至図３に示す上実施形態と同様であるため、同様の部分については同符号を付して説明を省略し、主に異なる部分について説明する。
【００４６】
本実施形態では、加湿部５をハウジング１の内面に設けるものである。これは、ノズル６の上流側端部近傍の内面に保持枠５１及び加湿材５２を設けると共に、ノズル６の外面に水タンク７１を設け、一方ハウジング１側は、ハウジング１の冷風空気流路２ａと温風空気流路２ｂとを仕切る内筒体１３の下流側端部をハウジング１の下流側端部の吐出口１２よりも下流側に若干突出させ、ノズル６をハウジング１に接続した際に、ノズル６の内面に設けた加湿材５２が冷風空気流路２ａの下流側の端部に位置するように設けるものである。
【００４７】
本実施形態のように、ノズル６の内面に加湿部５を設けることにより、加湿部５から使用者の毛髪までの距離を短くすることができるので、加湿空気の使用者の毛髪への到達量を増大させることができる。
【００４８】
次に、図５に基づいて更に他の実施形態について説明する。なお、この図５に示す実施形態においても大部分は図１乃至図３に示す上実施形態と同様であるため、同様の部分については同符号を付して説明を省略し、主に異なる部分について説明する。
【００４９】
本実施形態では、水供給手段７としてペルチエユニット７３を用いるものである。ペルチエユニット７３は、ペルチエ素子への通電により、ペルチエ素子の冷却部を冷却して空気中の水蒸気を結露させて水を供給するものである。ペルチエ素子の冷却部にて生成した結露水はフェルト７２を通じて加湿材５２へと搬送される。図中７４はペルチエ制御回路である。ペルチエユニット７３を用いることで、図１乃至図３に示す実施形態のような水タンク７１が必要なくなり、使用者が水タンク７１に水を補給する必要手間が省けて、使い勝手が向上する。
【００５０】
また、本実施形態では、ペルチエユニット７３内にマイナスイオン発生手段８としての放電部８１を設けてあり、これにより、ペルチエユニット７３による結露水がマイナスに帯電することとなり、加湿空気をマイナスに帯電させて、整髪により又は乾燥によりプラスに帯電した毛髪に引き寄せられて、より加湿空気を使用者の毛髪へ到達させることが可能となり、使用者の毛髪の内部に浸透させることができ、また、プラスに帯電した毛髪の電気力を打ち消すことができる。
【００５１】
また、本実施形態では、ノズル６と水供給手段７とハウジング１とを一体に形成してある。これにより、ノズル６の着脱部や水タンク７１の着脱部といった構成がないため、構造が簡素化できて、外観に一体感を与えることができる。
【図面の簡単な説明】
【００５２】
【図１】本発明の一実施形態の縦断面図である。
【図２】同上のノズルを取り付けていない状態の正面図である。
【図３】同上の平面断面図である。
【図４】他の実施形態のノズルの側断面図である。
【図５】更に他の実施形態の縦断面図である。
【符号の説明】
【００５３】
１    ハウジング
１１  吸入口
１２  吐出口
２    空気流路
２ａ  冷風用空気流路
２ｂ  温風用空気流路
３    送風手段
４    加熱部
５    加湿部
【図１】
2008264387.tif 000003
【図２】
2008264387.tif 000004
【図３】
2008264387.tif 000005
【図４】
2008264387.tif 000006
【図５】
2008264387.tif 000007